(57)【要約】【課題】  印刷装置に対する電源供給が停止した後、電源供給が再開された後に、電源供給が停止される前の電力供給状態に適応した電源供給状態へ自動的に移行させる。【解決手段】    印刷処理を行うエンジンを制御する印刷制御装置の制御方法であって、エンジンに対する電源の供給が再開される際に、記憶手段に記憶されたエンジンへの電源の供給が停止する前に移行している状態に応じて、電源の供給が再開された後に前記エンジンが移行すべき電源供給状態を前記エンジンに通知する通知工程を備えることを特徴とする。【選択図】  図５
2014026064.tif 000002
【特許請求の範囲】
【請求項１】
印刷処理を行うエンジンを制御する印刷制御装置であって、
前記エンジンへの電源の供給が停止する前に移行している電源供給状態を記憶する記憶手段と、
前記エンジンに対する電源の供給が再開される際に、前記記憶手段に記憶された前記状態に応じて、電源の供給が再開された後に前記エンジンが移行すべき電源供給状態を前記エンジンに通知する通知手段と、
通知された前記電源供給状態に応じて、前記エンジンに対する電源供給の状態を制御する電源制御手段と、
を備えることを特徴とする印刷制御装置。
【請求項２】
前記エンジンの状態が変化することに応じて、前記記憶手段に記憶される電源供給状態値を書き換える制御手段を備えることを特徴とする請求項１記載の印刷制御装置。
【請求項３】
前記電源供給状態は、スイッチ押下待ち状態、ＯＮ状態、スリープ状態、ディープスリープ状態のいずれかの状態であることを請求項１または２記載の印刷制御装置。
【請求項４】
前記エンジンに通知すべき複数のモードを設定する設定手段を備え、
前記通知手段は、設定されたいずれかのモードに従い、記憶した電源供給状態、スイッチ押下待ち状態、ＯＮ状態、スリープ状態、ディープスリープ状態のいずれかの状態を通知することを特徴とする請求項１記載の印刷制御装置。
【請求項５】
前記通知手段は、前記エンジンからの問い合わせに応じて前記電源供給状態を通知することを特徴とする請求項１記載の印刷制御装置。
【請求項６】
前記制御手段は、前記エンジンから通知される状態が特定の状態である場合、スイッチ押下待ち状態を前記記憶手段に記憶させることを特徴とする請求項２記載の印刷制御装置。
【請求項７】
前記電源制御手段は、前記エンジンに対する電源の供給を再開した後、電源供給状態をスリープ状態に移行させた後、通知される前記電源供給状態に応じて、前記エンジンに対する電源供給の状態を異なる状態に移行させることを特徴とする請求項１記載の印刷制御装置。
【請求項８】
印刷処理を行うエンジンを制御する印刷制御装置の制御方法であって、
前記エンジンに対する電源の供給が再開される際に、記憶手段に記憶されたエンジンへの電源の供給が停止する前に移行している状態に応じて、電源の供給が再開された後に前記エンジンが移行すべき電源供給状態を前記エンジンに通知する通知工程と、
通知された前記電源供給状態に応じて、前記エンジンに対する電源供給の状態を制御する電源制御工程と、を備えることを特徴とする印刷制御装置の制御方法。
【請求項９】
請求項８に記載の印刷制御装置の制御方法をコンピュータに実行させることを特徴とするプログラム。
【発明の詳細な説明】
【技術分野】
【０００１】
本発明は、印刷制御装置、印刷制御方法及びプログラムに関するものである。
【背景技術】
【０００２】
従来、データを印刷出力する印刷装置等においては電力供給がされた場合に、ユーザにより電源スイッチが押下されるのを待つ状態（待機状態）になり、電源スイッチを押下されるとＯＮ状態に移行する制御が実行されている。このような印刷装置について一般に電力供給前にスイッチが押下されていたか否かで電源スイッチを押下されなくてもＯＮ状態に移行する制御も知られている（特許文献１参照）。
【先行技術文献】
【特許文献】
【０００３】
【特許文献１】特開２０１１−１６０５２６号公報
【発明の概要】
【発明が解決しようとする課題】
【０００４】
しかし、従来の印刷制御装置における制御ではＯＮ状態に移行するか否かの単純な制御しか行う事が出来なかった。このため、印刷装置は、ＯＮ状態以外にスリープ状態などの状態も保持するがこうした状態への移行を行うことができなかった。
【０００５】
さらに従来の印刷制御装置における制御では、電力供給前にＯＮ状態であれば、必ず電力供給後にＯＮ状態に移行する単純な制御しか行っていない。このため、電力供給前にＯＮ状態であり、かつデバイスが故障しているような状況ではＯＮ状態に移行することは望ましくないが、ＯＮ状態に移行してしまうという問題があった。
【０００６】
本発明は、上記の課題を解決するためになされたもので、本発明の目的は、印刷装置に対する電源供給が停止した後、電源供給が再開された後に、電源供給が停止される前の電力供給状態に適応した電源供給状態へ自動的に移行させることができる仕組みを提供することである。
【課題を解決するための手段】
【０００７】
上記目的を達成する本発明の印刷制御装置は以下に示す構成を備える。
印刷処理を行うエンジンを制御する印刷制御装置であって、前記エンジンへの電源の供給が停止する前に移行している電源供給状態を記憶する記憶手段と、前記エンジンに対する電源の供給が再開される際に、前記記憶手段に記憶された前記状態に応じて、電源の供給が再開された後に前記エンジンが移行すべき電源供給状態を前記エンジンに通知する通知手段と、通知された前記電源供給状態に応じて、前記エンジンに対する電源供給の状態を制御する電源制御手段と、を備えることを特徴とする。
【発明の効果】
【０００８】
本発明によれば、印刷装置に対する電源供給が停止した後、電源供給が再開された後に、電源供給が停止される前の電力供給状態に適応した電源供給状態へ自動的に移行させることができる。
【図面の簡単な説明】
【０００９】
【図１】印刷装置の構成を示す断面図を示す図である。
【図２】図１に示した印刷装置の制御構成を説明するブロック図である。
【図３】図２に示したプリンタのハードウェア構成を示す図である。
【図４】印刷装置が取りうるステータスの一覧を示す図である。
【図５】印刷制御装置の制御方法を説明するフローチャートである。
【図６】印刷制御装置の制御方法を説明するフローチャートである。
【図７】印刷制御装置の制御方法を説明するフローチャートである。
【発明を実施するための形態】
【００１０】
次に本発明を実施するための最良の形態について図面を参照して説明する。
＜システム構成の説明＞
〔第１実施形態〕
【００１１】
図１は、本発明の実施形態の印刷制御装置を適用する印刷装置の構成を示す断面図を示す図である。
図１において、スキャナ７１１は、画像信号を光信号に変換するレーザ出力部（不図示）、多面体例えば８面体のポリゴンミラー７１２、このポリゴンミラー７１２を回転させるモータ不図示及びｆ／θレンズ７１３などを有する。レーザ出力部から出射したレーザ光はポリゴンミラー７１２の一側面で反射され、ｆ／θレンズ７１３及び反射ミラー７１４を通って図示矢印方向に回転している感光ドラム７１５の面を線状に走査ラスタスキヤンする。
【００１２】
これによって、原稿画像に対応した静電潜像が感光ドラム７１５の面上に形成されることになる。感光ドラム７１５の周辺には、一次帯電器７１７、全面露光ランプ７１８、転写されなかつた残留トナーを回収するクリーナ部７２３、転写前帯電器７２４が配設されている。現像ユニット７２６は、レーザ露光によって、感光ドラム７１５の表面に形成された静電潜像の現像を行うユニットであり以下に示す構成よりなる。
【００１３】
現像スリーブ７３１Ｙ、７３１Ｍ、７３１Ｃ、７３１Ｂｋは、感光ドラム７１５と接して直接現像を行う。トナーカートリッジ７３０Ｙ、７３０Ｍ、７３０Ｃ、７３０Ｂｋは予備トナーを保持する。スクリユー７３２は、現像剤の移送を行う。現像スリーブ７３１Ｙ、７３１Ｍ、７３１Ｃ、７３１Ｂｋ、トナーカートリッジ７３０Ｙ、７３０Ｍ、７３０Ｃ、７３０Ｂｋ及びスクリユー７３２は現像ユニット７２６の中心軸Ｐの周囲に配設されている。尚、前述した各構成要素の符号のＹ，Ｍ，Ｃ，Ｂｋは色を示している。
【００１４】
つまり、"Ｙ"はイエロー、"Ｍ"はマゼンタ、"Ｃ"はシアン、"Ｂｋ"はブラックである。ドア７０１はユーザが開閉可能である。ドア７０１の真下に位置するトナーカートリッジ７３０Ｙ、７３０Ｍ、７３０Ｃ、７３０Ｂｋのみユーザは取り外しが可能である。ドア７０１の真下を交換位置と呼ぶ。
【００１５】
図１ではブラックのトナーカートリッジ７３０Ｂｋが交換位置に存在している。トナーカートリッジ７３０Ｙ、７３０Ｍ、７３０Ｃ、７３０Ｂｋを図の軸のＰを中心に回転することで交換位置のトナー色を変更することができる。また、本印刷装置では印刷を行う場合にブラックのトナーカートリッジ７３０Ｂｋが交換位置に存在している場合が最も最速で印刷を行える。また、最速に印刷を行える交換位置に存在する色はエンジン構成により異なっていてよい。
【００１６】
現像ユニット位置センサ７４２は、現像ユニット７２６の回転位置を検出する。イエローのトナー像を形成する時には、本図の位置でイエロートナー現像処理を行う。また、マゼンタのトナー像を形成する時は、現像ユニット７２６を図の軸のＰを中心に回転して、感光ドラム７１５にマゼンタ現像器内の現像スリーブ７３１Ｍが接する様にする。シアン、ブラックの現像も同様に作動する。
【００１７】
転写ドラム７１６は、感光ドラム７１５上に形成されたトナー像を用紙に転写する。アクチユエータ板７１９は転写ドラム７１６の移動位置を検出する。ポジションセンサ７２０はこのアクチユエータ板７１９と近接することにより転写ドラム７１６がホームポジシヨン位置に移動したことを検出する。
【００１８】
アクチユエータ板７１９、ポジションセンサ７２０、転写ドラムクリーナ７２５、紙押えローラ７２７、徐電器７２９は転写帯電器であり、転写ドラム７１６の周囲に配設されている。一方、給紙カセット７３５，７３６は用紙紙葉体、７９１を収納する。実施の形態では給紙カセット７３５には例えばＡ４サイズの用紙、給紙カセット７３６にはＡ３サイズの用紙が収納されているものとする。用紙を給紙搬送行うとき、給紙ローラ７３７，７３８により、給紙カセット７３５，７３６から用紙を給紙する。
【００１９】
給紙及び搬送のタイミングをタイミングローラ７３９，７４０，７４１によってとる。これらを経由して紙ガイド４９０に導かれて先端をグリッパ７２８に但持されながら転写ドラム７１６に巻き付き、像形成過程に移行する。上記構成により、ＹＭＣＫ４色によるフルカラー印刷を実現する。
なお、本図では転写ドラム７１６を１つだけ保持する印刷装置を例として説明したが上記構成に限らずＹ，Ｍ，Ｃ，Ｂｋ毎に転写ドラム７１６を保持する構成でも良い。
【００２０】
図２は、図１に示した印刷制御装置の制御構成を説明するブロック図である。以下、プリンタ３１１を制御するコントローラユニットの構成を詳述する。
図２において、コントローラユニット３１３は、画像出力デバイスとして機能するプリンタ３１１と接続することで、画像データやデバイス情報の入出力を行う。ＣＰＵ３０１は、システム全体を制御するプロセッサである。
【００２１】
ＲＡＭ３０３は、ＣＰＵ３０１が動作するためのシステムワークメモリであり、プログラムを記録するためのプログラムメモリや、画像データを一時記録するための画像メモリでもある。ＮＶＭＥＭ３０４は、不揮発性のメモリであり設定情報等を記録する。操作部３１６はデバイスを操作するためのキーとデバイスの状態を示すＬＥＤを保持する。操作部Ｉ／Ｆ３１５は、操作部３１６とのインターフェース部で、操作部３１６の保持するＬＥＤの制御情報を送信する。
【００２２】
また、操作部３１６からユーザが入力した情報を、ＣＰＵ３０１に伝える役割をする。ＦＬＡＳＨＲＯＭ３０２は書き換え可能な不揮発性メモリであり、システムを制御するための各種制御プログラムが記録される。ＵＳＢインターフェース３０６は、外部装置とのＵＳＢ接続を可能にする。ＬＡＮインターフェース３１４は外部装置とのＬＡＮ接続を可能にする。以上のデバイスがシステムバス３０５上に配置される。
【００２３】
イメージバスＩＭＡＧＥ  ＢＵＳＩ／Ｆ３０７は、システムバス３０５と画像データを高速で転送する画像バス３１２とを接続し、データ構造を変換するバスブリッジである。画像バス３１２は、ＰＣＩバスまたはＩＥＥＥ１３９４で構成される。画像バス３１２上には以下のデバイスが配置される。ラスタイメージプロセッサＲＩＰ３０８はＰＤＬコードのようなベクトルデータをビットマップイメージに展開する。プリンタＩ／Ｆ３１０は、プリンタ３１１とコントローラユニット３１３を接続し、画像データの同期系／非同期系の変換や制御コマンドの送受信、電源供給を行う。
【００２４】
画像処理部３０９は、入力画像データに対し補正、加工、編集を行ったり、プリント出力画像データに対して、プリンタの補正、解像度変換等を行う。また、これに加えて、画像データの回転や、多値画像データに対してはＪＰＥＧ、２値画像データはＪＢＩＧ、ＭＭＲ、ＭＨ等の圧縮伸張処理を行う。
【００２５】
プリンタ３１１は、ラスタイメージデータを用紙上の画像に変換する部分である。その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。
【００２６】
コントローラユニット３１３は、電源供給状態通知値をＮＶＭＥＭ３０４に保持して管理する。なお、本実施形態において、電源供給状態通知値は、特定の状態、例えば複数のＯＦＦ状態、ＯＮ状態、ＳＬＥＥＰ状態（スリープ状態）のいずれかの値を保持する。コントローラユニット３１３は、プリンタ３１１からプリンタＩ／Ｆ部３１０を介して移行すべき状態の問い合わせを受けると、プリンタ３１１に対して電源供給状態通知値の値を応答する。なお、ＯＦＦ状態とは、スイッチ押下待ち状態とも呼ばれ、電源スイッチが押下されることで電源の供給が開始される状態に対応する。
【００２７】
コントローラユニット３１３は、電源供給状態通知モード値をＮＶＭＥＭ３０４に保持して管理する。本実施形態において、電源供給状態通知モード値は、ＭＯＤＥ１、ＭＯＤＥ２、ＭＯＤＥ３、ＭＯＤＥ４のいずれかの値を保持する。なお、電源供給状態通知モード値は操作部３１６によってユーザが任意に設定できる。
図３は、図２に示したプリンタ３１１のハードウェア構成を示す図である。以下、コントローラユニットと通信するプリンタ３１１の構成について詳述する。なお、プリンタ３１１は、シートに印刷処理を行うエンジンに対応する。
【００２８】
図３において、プリンタ３１１は、ノイズフィルタ２０１、電源スイッチ２０２、各ユニットの動作に必要な電力を供給する電源制御部２０３を保持する。プリンタ３１１は、ＡＣ入力から電源が供給されることで電源供給される。モータユニット２０４は、用紙の搬送をしながら電子写真プロセスを行う為の給紙ローラ７３７，７３８，一次帯電器７１７，感光ドラム７１５，現像ユニット７２６，定着ローラ，紙押えローラ７２７等を回転駆動する為のユニットである。
レーザユニット２０５は、感光ドラムに画像を書き込む為のレーザ光を発生させるレーザ素子とこれをＯＮ／ＯＦＦ及び光量制御するためのユニットである。定着ユニット２０６は、熱定着を行う為の熱源となる定着ヒータを制御し熱定着を行うためのユニットである。
【００２９】
ＮＶＭＥＭ２０７は、不揮発性のメモリであり印刷設定に関わる設定情報等を記憶する。ＦＬＡＳＨＲＯＭ２１１は、書き換え可能な不揮発性メモリであり、システムを制御するための各種制御プログラムが記憶される。
【００３０】
コントローラＩ／Ｆ部２０８は、プリンタ３１１とコントローラユニット３１３を接続し、画像データの同期系／非同期系の変換や制御コマンドの送受信、電源供給を行う。電源制御部２０３、モータユニット２０４、レーザユニット２０５、ＮＶＭＥＭ２０７、コントローラＩ／Ｆ部２０８はシステムバス２０９で接続されＣＰＵ２１０によって制御される。
プリンタ３１１は、電源供給状態値をＮＶＭＥＭ２０７で保持する。本実施形態において、電源供給状態値はＯＦＦ状態、ＯＮ状態、ＳＬＥＥＰ状態のいずれかの値を保持する。なお、これにＳｌＥＥＰ状態よりも省電力効果が高いディープスリープ状態を加えてもよい。ここで、ディープスリープ状態とは、ＣＰＵ、ＲＡＭ、ＨＤＤ等への電源供給を停止して、ネットワーク機能を働かせるに必要なデバイスへ電源を供給する状態をいう。
【００３１】
ここで、電源供給状態値がＯＮ状態時に電源スイッチ２０２の押下を検知すると、ＣＰＵ２１０は、電源供給状態値をＯＦＦ状態に変化させる。この状態の変化はコントローラＩ／Ｆ部２０８を介してコントローラユニット３１３に通知される。
【００３２】
電源供給状態値がＯＦＦ状態時に電源スイッチ２０２の押下を検知すると、ＣＰＵ２１０は電源供給状態値をＯＮ状態に変化させる。この状態の変化はコントローラＩ／Ｆ部２０８を介してコントローラユニット３１３に通知される。コントローラユニット３１３からコントローラＩ／Ｆ部２０８を介して電源供給状態値を変更させるように指示を受けると、ＣＰＵ２１０は電源供給状態値を指示された状態に変化させる。
【００３３】
ＣＰＵ２１０は、電源供給状態値の変更を検知すると、電源制御部２０３へ各状態に応じた電力供給を行うように制御を行う。ＯＮ状態時においては、ＣＰＵ２１０、ＮＶＭＥＭ２０７、ＦＬＡＳＨＲＯＭ２１１、コントローラＩ／Ｆ部２０８、電源スイッチ２０２、定着ユニット２０６、モータユニット２０４、レーザユニット２０５、コントローラユニット３１３に電力が供給される。
【００３４】
ＯＦＦ状態時においては、ＣＰＵ２１０、ＮＶＭＥＭ２０７、ＦＬＡＳＨＲＯＭ２１１、電源スイッチ２０２に電力が供給される。ＳＬＥＥＰ状態時においては、ＣＰＵ２１０、ＮＶＭＥＭ２０７、ＦＬＡＳＨＲＯＭ２１１、コントローラＩ／Ｆ部２０８、電源スイッチ２０２に電力が供給される。
図４は、本実施形態を示す印刷装置が取り得るステータスの一覧を示す図である。これらのステータスを示す値はＮＶＭＥＭ３０４に格納される。以下、各ステータスについて説明する。
図４において、ステータス５０１は、レディ（待機）でプリンタ３１１が印刷可能な状態であることを示す。ステータス５０２は、印刷中でプリンタ３１１が印刷動作を行っている状態であることを示す。
【００３５】
ステータス５０３は、トナーなしでトナーカートリッジがプリンタ３１１にセットされていない状態であることを示す。ステータス５０４は、トナー少で印刷を行うことはできるがトナーカートリッジ内部のトナーの残量が少ない状態であることを示す。ステータス５０５は、デバイス故障でプリンタ３１１に何らかの故障が生じており印刷が行えない状態であることを示す。
ステータス５０６は、スリープでプリンタ３１１が一定時間レディ（ステータス５０１）から変化が無かった状態であることを示す。ステータス５０７は、ジャムでプリンタ３１１内に用紙が詰まり印刷が行えない状態であることを示す。
【００３６】
図５は、本実施形態を示す印刷制御装置の制御方法を説明するフローチャートである。本例は、プリンタ３１１に電源供給が再開された際の起動処理例である。なお、各ステップは、ＦＬＡＳＨＲＯＭ２１１に格納されているプログラムをＣＰＵ２１０で処理することにより実現される。
プリンタ３１１は、電源制御部２０３より電源が供給されるとＳＬＥＥＰ状態へ移行する（Ｓ１０１）。次に、プリンタ３１１のＣＰＵ２１０は、コントローラユニット３１３にコントローラＩ／Ｆ部２０８を介して移行すべき状態を問い合わせる（Ｓ１０２）。次に、プリンタ３１１は、コントローラユニット３１３から通知された移行すべき状態がＯＮ状態かどうかを判断する（Ｓ１０３）。
【００３７】
ここで、通知された状態がＯＮ状態であるとＣＰＵ２１０が判断した場合、ＣＰＵ２１０は、電源供給状態値をＯＮ状態に変更して（Ｓ１０５）、本処理を終了する。
一方、通知された状態がＯＮ状態でないとＣＰＵ２１０が判断した場合は、次にプリンタ３１１は通知された状態がＳＬＥＥＰ状態かどうかを判断する（Ｓ１０４）。ここで、通知された状態がＳＬＥＥＰ状態であるとＣＰＵ２１０が判断した場合、ＣＰＵ２１０は、電源供給状態値をＳＬＥＥＰ状態に変更して（Ｓ１０６）、本処理を終了する。
一方、Ｓ１０４で、通知された状態がＳＬＥＥＰ状態でないとＣＰＵ２１０が判断した場合は、ＣＰＵ２１０は電源供給状態値をＯＦＦ状態に変更して（Ｓ１０７）、本処理を終了する。
【００３８】
図６は、本実施形態を示す印刷制御装置の制御方法を示すフローチャートである。本例は、  プリンタ３１１が取り得るステータス５０１〜５０７が変化した際のコントローラユニット３１３の電源供給状態通知値を書き換える処理例である。なお、各ステップは、ＦＬＡＳＨＲＯＭ３０２に格納されているプログラムをコントローラユニット３１３内のＣＰＵ３０１で処理することにより実現される。
【００３９】
ＣＰＵ３０１は、変化後のステータスがデバイス故障（ステータス５０５）か否かを判断する（Ｓ２０１）。ここで、ステータスがデバイス故障（ステータス５０５）であるとＣＰＵ３０１が判断した場合は、電源供給状態通知値をＯＦＦ状態に変更して（Ｓ２０３）、処理を終了する。
【００４０】
一方、ステータスがデバイス故障（ステータス５０５）でないとＣＰＵ３０１が判断した場合は、次にＣＰＵ３０１は変化後のステータスがジャム（ステータス５０７）か否かを判断する（Ｓ２０２）。ここで、ステータスがジャム（ステータス５０７）であるとＣＰＵ３０１が判断した場合は、電源供給状態通知値をＯＦＦ状態に変更して（Ｓ２０３）、本処理を終了する。
【００４１】
一方、ステータスがジャム（ステータス５０７）でないとＣＰＵ３０１が判断した場合は、次にＣＰＵ３０１は、変化後のステータスがスリープ（ステータス５０６）か否かを判断する（Ｓ２０６）。ここで、
ステータスがスリープ（ステータス５０６）であるとＣＰＵ３０１が判断した場合は、電源供給状態通知値をＳＬＥＥＰ状態に変更して（Ｓ２０４）、本処理を終了する。
【００４２】
一方、ステータスがスリープ（ステータス５０６）でないと判断した場合は、次に、ＣＰＵ３０１は、電源供給状態通知値をＯＮ状態に変更して（Ｓ２０５）、本処理を終了する。
これにより、プリンタ３１１がレディ（ステータス５０１）、印刷中（ステータス５０２）トナーなし（ステータス５０３）、トナー少（ステータス５０４）のステータスであれば電源供給状態通知値はＯＮ状態となる。
また、本処理はステータス５０１〜５０７が変化したタイミングではなくプリンタ３１１からコントローラＩ／Ｆ部２０８を介してＯＦＦ状態が通知されたタイミングで実行しても良い。
〔第２実施形態〕
【００４３】
第１実施形態では、プリンタ３１１からの移行すべき状態を問い合わせ（Ｓ１０２）について、電源供給状態通知値の値を応答する場合について説明した。しかしながら、ユーザが操作部３１６で指定したモードによって固定の値を応答しても良い。以下、その実施形態について詳述する。
【００４４】
図７は、本実施形態を示す印刷制御装置の制御方法を説明するフローチャートである。本例は、プリンタ３１１から移行すべき状態の問い合わせ（Ｓ１０２）を受けた際のコントローラユニット３１３による応答処理例である。なお、各ステップは、ＦＬＡＳＨＲＯＭ３０２に格納されているプログラムをコントローラユニット３１３内のＣＰＵ３０１で処理することにより実現される。
プリンタ３１１による移行すべき状態の問い合わせ（Ｓ１０２）を受け付けると、ＣＰＵ３０１は、ＮＶＭＥＭ３０４に記憶されている電源供給状態通知モード値の値がＭＯＤＥ１か否かを判断する（Ｓ３０１）。ここで、電源供給状態通知モード値の値がＭＯＤＥ１であるとＣＰＵ３０１が判断した場合は、ＣＰＵ３０１は電源供給状態通知値の値をプリンタ３１１に対して応答して（Ｓ３０４）、本処理を終了する。一方、電源供給状態通知モード値の値がＭＯＤＥ１でないとＣＰＵ３０１が判断した場合は、ＣＰＵ３０１は電源供給状態通知モード値の値がＭＯＤＥ２か否かを判断する（Ｓ３０２）。
ここで、電源供給状態通知モード値の値がＭＯＤＥ２であるとＣＰＵ３０１が判断した場合は、ＣＰＵ３０１はＯＮ状態をプリンタ３１１に対して応答して（Ｓ３０５）、本処理を終了する。一方、電源供給状態通知モード値の値がＭＯＤＥ２でないとＣＰＵ３０１が判断した場合は、ＣＰＵ３０１は電源供給状態通知モード値の値がＭＯＤＥ３か否かを判断する（Ｓ３０３）。ここで、電源供給状態通知モード値の値がＭＯＤＥ３であるとＣＰＵ３０１が判断した場合は、ＣＰＵ３０１はＳＬＥＥＰ状態をプリンタ３１１に対して応答して（Ｓ３０６）、本処理を終了する。
一方、電源供給状態通知モード値の値がＭＯＤＥ３でないとＣＰＵ３０１が判断した場合は、ＣＰＵ３０１はＯＦＦ状態をプリンタ３１１に対して応答して（Ｓ３０７）、本処理を終了する。
【００４５】
本発明の各工程は、ネットワーク又は各種記憶媒体を介して取得したソフトウエアプログラムをパソコンコンピュータ等の処理装置ＣＰＵ、プロセッサにて実行することでも実現できる。
【００４６】
本発明は上記実施形態に限定されるものではなく、本発明の趣旨に基づき種々の変形各実施形態の有機的な組合せを含むが可能であり、それらを本発明の範囲から除外するものではない。
【符号の説明】
【００４７】
２１０  ＣＰＵ
３０１  ＣＰＵ
３１１  プリンタ
３１３  コントローラユニット
【図１】
2014026064.tif 000003
【図２】
2014026064.tif 000004
【図３】
2014026064.tif 000005
【図４】
2014026064.tif 000006
【図５】
2014026064.tif 000007
【図６】
2014026064.tif 000008
【図７】
2014026064.tif 000009